(57)【特許請求の範囲】
【請求項１】
日時を計数する計時手段と、
現在位置を取得する現在位置取得手段と、
予め順番付けられた位置を位置情報として記憶する位置情報記憶手段と、
前記現在位置取得手段により前記現在位置が取得された場合に、当該現在位置が前記位置情報記憶手段に記憶された位置情報における前記順番付けられた位置の何れかであるかどうかを判定する判定手段と、
前記判定手段の判定結果に基づいて、対応位置を選択する対応位置選択手段と、
前記計時手段の計数する日時と、所定の基準位置からの時差に係る前記現在位置の時差情報及び前記対応位置の時差情報とに基づいて、前記現在位置及び前記対応位置における地方時をそれぞれ算出する地方時算出手段と、
算出された地方時を同時に又は選択的に切り替えて表示する表示手段と、
を備え、
前記対応位置選択手段は現在位置が取得された場合に、前記判定手段によって前記現在位置が前記位置情報記憶手段に記憶された位置情報における前記順番付けられた位置の何れかであると判定された場合には、前記現在位置の次の順番が付された位置を前記対応位置として選択し、前記現在位置が前記位置情報記憶手段に記憶された位置情報における前記順番付けられた位置の何れでもないと判定された場合には、前記位置情報記憶手段に記憶された位置情報における前記順番付けられた位置のうち、所定の位置を前記対応位置として選択することを特徴とする電子時計。
【請求項２】
前記順番付けられた位置には、ユーザの主たる所在地に係るホーム位置が含まれ、
前記所定の位置は、ユーザの主たる所在地に係るホーム位置であり、
前記対応位置選択手段は、前記判定手段によって前記現在位置が前記位置情報記憶手段に記憶された位置情報における前記順番付けられた位置の何れでもないと判定された場合には、前記ホーム位置を前記対応位置として選択することを特徴とする請求項１記載の電子時計。
【請求項３】
日時を計数する計時手段と、
現在位置を取得する現在位置取得手段と、
予め順番付けられた位置を位置情報として記憶する位置情報記憶手段と、
前記現在位置取得手段により前記現在位置が取得された場合に、当該現在位置が前記位置情報記憶手段に記憶された位置情報における前記順番付けられた位置の何れかであるかどうかを判定する判定手段と、
前記判定手段の判定結果に基づいて、対応位置を選択する対応位置選択手段と、
前記計時手段の計数する日時と、所定の基準位置からの時差に係る前記現在位置の時差情報及び前記対応位置の時差情報とに基づいて、前記現在位置及び前記対応位置における地方時をそれぞれ算出する地方時算出手段と、
算出された地方時を同時に又は選択的に切り替えて表示する表示手段と、
を備え、
前記位置情報記憶手段に記憶されている位置情報には、順番付けられていない特定位置が含まれ、
前記対応位置選択手段は、前記判定手段によって前記現在位置が前記位置情報記憶手段に記憶された位置情報における前記順番付けられた位置の何れでもないと判定された場合には、前記特定位置を前記対応位置として選択することを特徴とする電子時計。
【請求項４】
日時を計数する計時手段と、
現在位置を取得する現在位置取得手段と、
予め順番付けられた位置を位置情報として記憶する位置情報記憶手段と、
前記現在位置取得手段により前記現在位置が取得された場合に、当該現在位置が前記位置情報記憶手段に記憶された位置情報における前記順番付けられた位置の何れかであるかどうかを判定する判定手段と、
前記判定手段の判定結果に基づいて、対応位置を選択する対応位置選択手段と、
前記計時手段の計数する日時と、所定の基準位置からの時差に係る前記現在位置の時差情報及び前記対応位置の時差情報とに基づいて、前記現在位置及び前記対応位置における地方時をそれぞれ算出する地方時算出手段と、
算出された地方時を同時に又は選択的に切り替えて表示する表示手段と、
を備え、
前記位置情報は、前記順番付けられた位置に各々対応付けられた前記対応位置をさらに含み、
前記対応位置選択手段は、前記判定手段によって前記現在位置が前記位置情報記憶手段に記憶された位置情報における前記予め設定された位置の何れかであると判定された場合には、当該位置情報で前記現在位置に対応付けられた前記対応位置を選択し、
前記対応位置選択手段は、前記判定手段によって前記現在位置が前記位置情報記憶手段に記憶された位置情報における前記予め設定された位置の何れでもないと判定された場合には、予め設定された所定位置を前記対応位置とする
ことを特徴とする電子時計。
【請求項５】
世界各地の時差情報を記憶する時差記憶手段を備え、
前記地方時算出手段は、当該時差記憶手段を参照して前記現在位置及び前記対応位置の時差情報をそれぞれ取得する
ことを特徴とする請求項１〜４の何れか一項に記載の電子時計。
【請求項６】
ユーザの入力操作を受け付ける操作手段を備え、
前記位置情報記憶手段に記憶させる位置情報は、当該操作手段を介して入力設定される
ことを特徴とする請求項１〜５の何れか一項に記載の電子時計。
【請求項７】
所定の入力操作がなされた場合に、前記現在位置をユーザの主たる所在地に係るホーム位置として設定するホーム位置設定手段を備えることを特徴とする請求項６記載の電子時計。
【請求項８】
前記表示手段は、
前記現在位置に係る地方時を表示する第１表示部と、
前記対応位置に係る地方時を表示する第２表示部と
を備えることを特徴とする請求項１〜７の何れか一項に記載の電子時計。
【請求項９】
前記表示手段は、前記現在位置を示す第３表示部を備えることを特徴とする請求項１〜８の何れか一項に記載の電子時計。
【請求項１０】
前記現在位置取得手段は、現在位置を測定する測位手段を備え、
前記対応位置選択手段は、所定の条件で前記測位手段に測位を行わせて現在位置を取得する
ことを特徴とする請求項１〜９の何れか一項に記載の電子時計。
【請求項１１】
前記時差情報には、タイムゾーンに係る情報と夏時間の実施スケジュールに係る夏時間情報とが含まれることを特徴とする請求項１〜１０の何れか一項に記載の電子時計。
【発明の詳細な説明】
【技術分野】
【０００１】
この発明は、世界各地の日時を表示可能な電子時計に関する。
【背景技術】
【０００２】
従来、取得された現在位置や設定された位置の情報に基づいて当該位置における地方時を表示させることが可能な電子時計がある。これにより、ユーザが旅行先などのタイムゾーンや夏時間を正確に把握していなくても、正確な日時を容易に表示させることが出来る。
【０００３】
また、主たる日時表示（主時計）に加えて、世界各地の時刻を表示させることが可能な世界時計機能を有する電子時計がある。この電子時計では、通常の時針及び分針に加えて他の位置での日時を表示させるための小時針及び小分針が設けられたり、十分な桁数を表示可能なデジタル表示画面が設けられたりすることで、主時計の表示と同時に他の位置での日時を副時計又は小時計として表示可能なものや、操作ボタンによる切り替えで主時計と副時計とのうち何れかを選択的に表示可能なものがある。このような世界時計機能を有することで、電子時計のユーザは、現在位置の時刻と仕事上重要な他所の時刻との組み合わせや、旅行滞在先の時刻と普段生活しているホーム位置の時刻との組み合わせといった種々の用途に係る複数の地点での日時を速やかに知得することが出来る。
【０００４】
しかしながら、従来、副時計の日時の計数及び表示は、主時計とは独立に行われ、また、２４時間表示であったり、１２時間表示であっても指針のステップ数が主時計とは異なったりすることから、主時計の日時と副時計の日時とを別個に修正する必要があるという問題があった。これに対し、特許文献１には、主時計の日時（分表示）の修正と副時計の日時（分表示）の修正とを連動させて行うための技術が開示されている。
【先行技術文献】
【特許文献】
【０００５】
【特許文献１】特開２００９−８５０４号公報
【発明の概要】
【発明が解決しようとする課題】
【０００６】
しかしながら、単なる時刻の修正だけではなく、主時計の位置変更に応じて副時計の示す地方時を変更したり、或いは、主時計と副時計の表示を入れ換えたりする場合、従来、副時計の日時データには位置情報が対応付けられて記憶されていないので、結局副時計を毎回手動で変更したり、更には、元々主時計のために設定されていた位置情報が異なる位置情報に書き換えられてしまったりするという課題がある。
【０００７】
この発明の目的は、現在位置の変化に伴い主時計の地方時を変更する場合に、容易且つ適切に連動させて副時計の地方時を所望の位置のものに変更可能な電子時計を提供することにある。
【課題を解決するための手段】
【０００８】
本発明は、上記目的を達成するため、
日時を計数する計時手段と、
現在位置を取得する現在位置取得手段と、
予め順番付けられた位置を位置情報として記憶する位置情報記憶手段と、
前記現在位置取得手段により前記現在位置が取得された場合に、当該現在位置が前記位置情報記憶手段に記憶された位置情報における前記順番付けられた位置の何れかであるかどうかを判定する判定手段と、
前記判定手段の判定結果に基づいて、対応位置を選択する対応位置選択手段と、
前記計時手段の計数する日時と、前記現在位置の所定の基準位置からの時差に係る時差情報及び前記対応位置の時差情報とに基づいて、前記現在位置及び前記対応位置における地方時をそれぞれ算出する地方時算出手段と、
算出された地方時を同時に又は選択的に切り替えて表示する表示手段と、
を備え、
前記対応位置選択手段は現在位置が取得された場合に、前記判定手段によって前記現在位置が前記位置情報記憶手段に記憶された位置情報における前記順番付けられた位置の何れかであると判定された場合には、前記現在位置の次の順番が付された位置を前記対応位置として選択し、前記現在位置が前記位置情報記憶手段に記憶された位置情報における前記順番付けられた位置の何れでもないと判定された場合には、前記位置情報記憶手段に記憶された位置情報における前記順番付けられた位置のうち、所定の位置を前記対応位置として選択することを特徴とする電子時計である。
【発明の効果】
【０００９】
本発明に従うと、電子時計において、現在位置の変化に伴い主時計の地方時を変更する場合に、容易且つ適切に副時計の地方時を連動して所望の位置のものに変更させることが出来るという効果がある。
【図面の簡単な説明】
【００１０】
【図１】本発明の実施形態の電子時計を示す正面図である。
【図２】電子時計の機能構成を示すブロック図である。
【図３】位置設定情報の内容例を示す図表である。
【図４】第１実施形態の電子時計で実行される表示時刻設定処理の制御手順を示すフローチャートである。
【図５】ホーム位置設定処理の制御手順を示すフローチャートである。
【図６】第２実施形態の電子時計で実行される表示時刻設定処理の制御手順を示すフローチャートである。
【図７】第３実施形態の電子時計で実行される表示時刻設定処理の制御手順を示すフローチャートである。
【発明を実施するための形態】
【００１１】
以下、本発明の実施の形態を図面に基づいて説明する。
［第１実施形態］
図１は、本発明の第１実施形態の電子時計４０の正面図である。また、図２は、電子時計４０の機能構成を示すブロック図である。
【００１２】
この電子時計４０は、図１に示すように、フレーム２と、フレーム２の内部に設けられた文字盤３と、文字盤３の表示面側（上面側）に配置された秒針１１、分針１２、時針１３、２４時間針１４、副分針１５、副時針１６、副２４時間針１７、及び機能針１８と、文字盤３の下方に配置された日車１９と、フレーム２の側面に設けられた押しボタンスイッチＳ１、Ｓ３、Ｓ４及びりゅうずＣ１とを備える。以降、秒針１１、分針１２、時針１３、２４時間針１４、副分針１５、副時針１６、副２４時間針１７、機能針１８、日車１９の一部又は全部をまとめて指針１１〜１９のようにも記す。文字盤３及び指針１１〜１９により表示手段が構成される。
文字盤３及び指針１１〜１８の上面は、図示略の風防ガラスで覆われている。また、日車１９の下面（文字盤３に対向する面とは反対側）のフレーム２内には、電子時計４０の駆動制御に係る各構成及び電源部が設けられ、図示略の裏蓋で覆われている。
【００１３】
文字盤３には、時刻や他の種々の機能に係る表示を行うための目盛や標識が設けられている。また、４時３０分の方向には、開口部３ａが設けられ、日車１９上の日付標識が選択的に露出可能となっている。
【００１４】
秒針１１、分針１２及び時針１３は、文字盤３の略中央を回転軸として、それぞれ文字盤３に平行な面内で回転自在に設けられている。一方、文字盤３には、小窓４、５、６、７が設けられている。２４時間針１４は、秒針１１、分針１２及び時針１３で示される時刻を２４時間表示する。２４時間針１４は、小窓４の内部で回転自在に設けられている。日車１９は、文字盤３の下面側に当該文字盤３と平行に設けられた回転可能な円盤部材（中央に孔部が設けられた円環状を含む）であり、一の円周上に日付を示す「１」〜「３１」の日付標識が所定間隔で順番に設けられている。日車１９が回転動作されることにより、これらの日付標識のうちの一つが開口部３ａから選択的に露出されることで、指針１１〜１４により示される時刻と対応する日の情報が示される。
これら、指針１１〜１４及び日車１９並びに文字盤３及び小窓４により第１表示部が構成される。
【００１５】
秒針１１は、複数の歯車列である輪列機構６１を介して伝えられるステッピングモータ５１のステップ動作に応じて所定の角度ずつ回転動作する。秒針１１は、時刻の表示に用いられると共に、フレーム２に設けられた都市名の標識を利用してホーム位置や世界時計に係るローカル位置の設定を行う際に利用される。
分針１２及び時針１３は、輪列機構６２を介して伝えられるステッピングモータ５２のステップ動作に応じ、それぞれ所定の角度ずつ回転動作する。１ステップ当たりの時針１３の回転角度は、分針１２の回転角度の１／１２となっている。
２４時間針１４は、輪列機構６３を介して伝えられるステッピングモータ５３のステップ動作に応じて所定の角度ずつ回転動作する。日車１９は、２４時間針１４が所定の回転位置にある間、例えば、午後１０時から午前２時までの間に２４時間針１４と連動して回転し、開口部３ａから露出される日付標識が１日分変化する。
【００１６】
副分針１５及び副時針１６は、小窓５の内部で回転自在に設けられている。また、副２４時間針１７は、小窓６の内部で回転自在に設けられている。これらの副分針１５、副時針１６及び副２４時間針１７は、上述の指針１１〜１４により示される時刻とは異なる時刻を同時に表示させるためのものである。
副分針１５、副時針１６、副２４時間針１７、小窓５及び小窓６により第２表示部が構成される。
【００１７】
副分針１５及び副時針１６は、輪列機構６４を介して伝えられるステッピングモータ５４のステップ動作に応じてそれぞれ所定の角度ずつ回転動作する。副時針１６の１ステップ当たりの回転角度は、副分針１５の回転角度の１／１２となっている。また、副２４時間針１７は、輪列機構６５を介して伝えられるステッピングモータ５５のステップ動作に応じて所定の角度ずつ回転動作する。
【００１８】
機能針１８は、小窓７の内部で回転自在に設けられている。機能針１８は、曜日やその他の機能に係る種々の表示を行うための指針である。また、機能針１８は、副分針１５及び副時針１６により表示される地方時の位置（ローカル位置）が変更される場合に、当該位置の設定番号を示す標識“ＬＴ（ｉ）”（図１では、変数ｉは、１以上５以下）やホーム位置を示す標識“ＨＴ”を指し示す。機能針１８は、輪列機構６６を介し、ステッピングモータ５６のステップ動作に応じて所定の角度ずつ回転動作する。
機能針１８及び小窓７により第３表示部が構成される。
【００１９】
押しボタンスイッチＳ１、Ｓ３、Ｓ４及びりゅうずＣ１は、操作部４５（操作手段）が備える外部からの入力操作を受け付ける構成である。押しボタンスイッチＳ１、Ｓ３、Ｓ４は、外部からの押下操作を受け付ける。りゅうずＣ１は、初期位置から引き出された状態で、回転操作を受け付ける。操作部４５は、これら押しボタンスイッチＳ１、Ｓ３、Ｓ４の押下操作及びりゅうずＣ１の引き出し、押し戻し、回転操作を検出して、操作種別に応じた入力信号をＣＰＵ４１に出力する。
【００２０】
電子時計４０は、上述の各構成に加えて駆動制御に係る構成として、図２に示すように、ＣＰＵ４１（Central Processing Unit）（対応位置選択手段、地方時算出手段、ホーム位置設定手段）と、ＲＯＭ４２（Read Only Memory）と、ＲＡＭ４３（Random Access Memory）と、計時回路４４（計時手段）と、ＧＰＳ受信モジュール４６（現在位置取得手段、測位手段）と、ＵＡＲＴ４７（Universal Asynchronous Receiver/Transmitter）と、アンテナＡＮ４と、モータ駆動回路４８などを備える。これら構成では、バス４９を介して互いにコマンドやデータのやり取りが行われる。
【００２１】
ＣＰＵ４１は、各種演算処理を行い、電子時計４０の全体動作を統括制御する。また、ＣＰＵ４１は、現在位置や世界時計の表示に係る位置の設定を行い、当該位置での地方時を算出したり、算出した地方時を表示させたりする。
ＲＯＭ４２は、電子時計４０の動作に係る制御プログラムや設定データを格納する。ＲＯＭ４２には、位置情報に基づいて当該位置におけるタイムゾーン設定や夏時間の実施スケジュールに係る夏時間情報を取得するための、即ち、基準位置となる協定世界時（ＵＴＣ）地域からの時差（時差情報）を取得するための地図テーブル４２１（時差記憶手段）が記憶されている。ＲＯＭ４２には、上書き更新が可能なフラッシュメモリなどの不揮発性メモリが含まれていても良く、この場合には、夏時間情報の変更などに応じて適宜書き換えられれば良い。
【００２２】
ＲＡＭ４３は、ＣＰＵ４１に作業用のメモリ空間を提供し、一時データや更新可能な設定データを記憶する揮発性メモリである。この更新可能な設定データには、ユーザの主たる所在地を示すホーム位置に係る位置情報や、副分針１５、副時針１６及び副２４時間針１７により世界時計表示を行わせるローカル位置に係る位置情報などの位置設定情報４３１（位置情報記憶手段）が含まれる。
【００２３】
計時回路４４は、図示略の発振回路で生成された所定の周波数のクロック信号に基づいて現在の日時を計数保持する。この計時回路４４が保持する日時は、電子時計４０独自のシステム時計であっても良いし、或いは、ＵＴＣ日時などの基準となる日時を年月日時分秒の形で保持していても良い。
【００２４】
ＧＰＳ受信モジュール４６は、ＧＮＳＳ（全地球測位システム）をなす各測位衛星からの電波を受信し、日時情報や現在位置に係る位置情報を算出、取得する。取得された日時情報や位置情報は、予め設定されたフォーマットでＣＰＵ４１に出力される。ＧＰＳ受信モジュール４６による取得データの種別や出力フォーマットは、ＣＰＵ４１からの設定入力により設定される。
【００２５】
ＵＡＲＴ４７は、ＧＰＳ受信モジュール４６とＣＰＵ４１との間でやり取りされる各種信号をシリアル／パラレル変換してデータ伝送や処理に適切な形とする。
【００２６】
モータ駆動回路４８は、ＣＰＵ４１から入力された制御信号に応じてステッピングモータ５１〜５６をそれぞれ駆動してステップ動作させるための駆動電圧パルスを適切なタイミング及びパルス幅で出力する。駆動電圧パルスの幅は、ＣＰＵ４１からの制御信号により適宜調節されることが可能となっている。また、複数のステッピングモータを同時に駆動する制御信号が入力された場合には、モータ駆動回路４８は、電子時計４０の最大負荷に応じて問題が生じない範囲で適宜駆動タイミングをずらして駆動電圧パルスを出力する。
【００２７】
次に、本実施形態の電子時計４０における表示時刻の切り替え動作について説明する。
本実施形態の電子時計４０では、秒針１１、分針１２、時針１３及び２４時間針１４により表示される時刻（主時計）と、副分針１５、副時針１６及び副２４時間針１７により表示される時刻（副時計）とが、現在位置に基づいて連動して設定される。
【００２８】
図３は、ＲＡＭ４３に記憶される位置設定情報４３１の例を示す図である。
本実施形態の電子時計４０では、図３（ａ）に示されるように、ホーム位置（ＨＴ）と、順番付けられた１又は複数のローカル位置（ＬＴ）が位置情報として設定されて位置設定情報４３１（位置情報記憶手段）に記憶される。記憶可能なローカル位置の数は、ＲＡＭ４３のメモリ容量や小窓７に配置可能な標識の数などに応じて予め定められる。
【００２９】
本実施形態の電子時計４０では、ローカル位置として、旅行などで訪れる地域の都市（地方都市）がユーザ操作などにより予め順番に設定される。ここでは、ホーム位置（設定番号「ＨＴ」）である東京に対して、ローカル位置として、設定番号「ＬＴ１」のロサンゼルス、設定番号「ＬＴ２」のシカゴ、設定番号「ＬＴ３」のニューヨーク、そして、設定番号「ＬＴ４」のロンドンが順番に設定されている。各ローカル位置は、緯度経度によって表されるのが好ましく、この位置設定情報４３１内で直接又は別途換算テーブルを用いて都市名から緯度経度が得られるように設定されている。ここでは、ホーム位置は、ローカル位置「ＬＴ１」の前に順番付けられ（所定の順番）、また、全てのローカル位置は、設定番号末尾の数字通りの配列順で順番付けられていることとする。また、ローカル位置の最後の設定番号「ＬＴ４」が示すロンドンの次の順番がホーム位置となるループ状の順番設定となっている。
【００３０】
図４は、この位置設定情報４３１に基づく表示時刻設定処理のＣＰＵ４１による制御手順を示すフローチャートである。
【００３１】
この表示時刻設定処理は、所定の押しボタンスイッチ、ここでは押しボタンスイッチＳ１が押下されることで開始される。
表示時刻設定処理が開始されると、ＣＰＵ４１は、ＧＰＳ受信モジュール４６を起動し、測位を行わせる。ＣＰＵ４１は、ＧＰＳ受信モジュール４６から測位処理で得られた現在位置とＵＴＣ日時のデータを取得する（ステップＳ１０１）。
【００３２】
ＣＰＵ４１は、ＧＰＳ受信モジュール４６からの現在位置及び日時のデータの取得に成功したか否かを判別する（ステップＳ１０２）。成功しなかった（失敗した）と判別された場合には（ステップＳ１０２で“ＮＯ”）、ＣＰＵ４１は、表示時刻設定処理を終了する。
【００３３】
現在位置及び日時のデータ取得に成功したと判別された場合には（ステップＳ１０２で“ＹＥＳ”）、ＣＰＵ４１は、取得された現在位置を基本位置として設定し、地図テーブル４２１を参照して当該基本位置における時差や夏時間の実施状況を取得して、この基本位置における地方時を算出する。ＣＰＵ４１は、当該算出された地方時を基本日時として主時計により表示をさせるための制御信号をモータ駆動回路４８に出力する（ステップＳ１０３）。
【００３４】
ＣＰＵ４１は、設定された基本位置がホーム位置と等しいか否かを判別する（ステップＳ１０４）。この等しい範囲については、後述する。等しいと判別された場合には（ステップＳ１０４で“ＹＥＳ”）、ＣＰＵ４１は、変数ｉに「０」を設定して（ステップＳ１０９）、それから、処理をステップＳ１１１に移行させる。
【００３５】
基本位置がホーム位置と等しくないと判別された場合には（ステップＳ１０４で“ＮＯ”）、ＣＰＵ４１は、変数ｉに「１」を設定する（ステップＳ１０５）。ＣＰＵ４１は、変数ｉの値が、現在のローカル位置の設定数ｎより小さいか否かを判別する（ステップＳ１０６）。小さいと判別された場合には（ステップＳ１０６で“ＹＥＳ”）、ＣＰＵ４１は、設定された基本位置が変数ｉ（即ち、ｉ番目の）ローカル位置と等しいか否かを判別する（ステップＳ１０７）。等しくないと判別された場合には（ステップＳ１０７で“ＮＯ”）、ＣＰＵ４１は、変数ｉに「１」を加算し（ステップＳ１０８）、処理をステップＳ１０６に戻す。等しいと判別された場合には（ステップＳ１０７で“ＹＥＳ”）、ＣＰＵ４１は、処理をステップＳ１１１に移行させる。
【００３６】
ステップＳ１０７又はステップＳ１０９の処理からステップＳ１１１の処理に移行すると、ＣＰＵ４１は、モータ駆動回路４８に制御信号を出力して、機能針１８に位置設定として標識“ＬＴ（ｉ＋１）”を指し示させる（ステップＳ１１１）。ＣＰＵ４１は、この設定番号ＬＴ［ｉ＋１］のローカル位置に係る時差及び夏時間情報を地図テーブル４２１から取得して、当該ローカル位置の地方時（ローカル時刻［ｉ＋１］）を算出し、モータ駆動回路４８に制御信号を出力して副時計にこの地方時を表示させる（ステップＳ１１２）。そして、ＣＰＵ４１は、表示時刻設定処理を終了する。
【００３７】
ステップＳ１０６の判別処理で、変数「ｉ」の値がローカル位置の設定数ｎより小さくない（等しい）と判別された場合には（ステップＳ１０６で“ＮＯ”）、ＣＰＵ４１は、モータ駆動回路４８に制御信号を出力して機能針１８に位置設定として標識“ＨＴ”を指し示させる（ステップＳ１１３）。ＣＰＵ４１は、ホーム位置における地方時（ホーム時刻）を算出し、モータ駆動回路４８に制御信号を出力して副時計にホーム位置の地方時を表示させる（ステップＳ１１４）。そして、ＣＰＵ４１は、表示時刻設定処理を終了する。
【００３８】
即ち、本実施形態の電子時計４０では、ホーム位置を出発して、複数のローカル位置を設定順に移動してホーム位置に戻ってくる場合に、現在滞在している位置（現在位置）の地方時が主時計により表示され、当該現在位置に対応して次に滞在する予定の位置（対応位置）の時刻が副時計により表示される。また、これらの設定順から外れた（順番付けられたローカル位置の何れでもない）ローカル位置に移動した場合には、所定の順番、ここでは、順番の先頭に設定されているホーム位置が副時計への表示対象のローカル位置となる。
【００３９】
図５は、ホーム位置設定処理のＣＰＵ４１による制御手順を示すフローチャートである。
このホーム都市設定処理は、ホーム都市を設定するためのユーザ操作、例えば、押しボタンスイッチＳ４が所定時間継続して押下された場合に起動される。
【００４０】
ホーム位置設定処理が開始されると、ＣＰＵ４１は、現在、基本位置として設定されている位置をホーム位置として設定する。また、ＣＰＵ４１は、現在の基本時刻をそのままホーム時刻として設定する（ステップＳ２０１）。そして、ＣＰＵ４１は、ホーム位置設定処理を終了する。
【００４１】
このように、１回の操作で、基本位置、即ち、現在位置をそのままホーム位置に設定することが出来る。即ち、短期滞在などに係る現在位置は、基本位置として設定される一方で、転勤、赴任などで長期滞在する場合には、当該現在位置を更にホーム位置に変更することが出来る。
【００４２】
以上のように、第１実施形態の電子時計４０は、日時を計数する計時回路４４と、現在位置を取得するＧＰＳ受信モジュール４６と、文字盤３上で指針１１〜１９により主時計及び副時計の表示を行う表示部と、ＣＰＵ４１とを備える。ＣＰＵ４１は、ＧＰＳ受信モジュール４６により現在位置が取得された場合に、当該現在位置に応じて予め定められたローカル位置を選択し（対応位置選択手段）、計時回路４４の計数する日時と、現在位置のＵＴＣ時刻からの時差に係る時差情報及び選択されたローカル位置の時差情報とに基づいて、現在位置及びローカル位置における地方時をそれぞれ算出し（地方時算出手段）、算出された地方時を同時に又は選択的に切り替えて表示部に表示させる。
従って、現在位置の変化に伴い主時計の地方時を変更する場合に、容易且つ適切に副時計の地方時を連動して変更することが出来る。
【００４３】
また、世界各地の時差情報を記憶する地図テーブル４２１を備え、ＣＰＵ４１は、この地図テーブル４２１を参照して現在位置及びローカル位置の時差情報をそれぞれ取得するので、世界中のどこへ移動しても容易且つ確実に地方時を算出して表示させることが出来る。
【００４４】
また、予め設定されたホーム位置及びローカル位置に順番付けを行った位置情報を記憶する位置設定情報４３１を備え、ＣＰＵ４１は、現在位置がこの位置設定情報４３１に記憶された位置情報における順番付けられた位置の何れかである場合には、現在位置の次の順番が付された位置を副時計に表示させるローカル位置として選択するので、所望のホーム位置とローカル位置を順番に設定しておくだけで、現在位置が変更された場合に、自動的に当該現在位置に対応した世界時計の設定に変更することが出来る。
【００４５】
また、ＣＰＵ４１は、取得された現在位置が位置設定情報４３１に記憶された位置情報における順番付けられた位置の何れでもない場合には、位置設定情報４３１において所定の順番、例えば、「０」番目に設定されたホーム位置を副時計の表示に係るローカル位置として選択するので、単に旅行先などでホーム位置や家族の居住位置での地方時が知りたいような場合には、敢えて順番を設定しなくても更に容易に副時計の表示に係るローカル位置を変更して表示させることが出来る。
【００４６】
また、順番付けられた位置には、ユーザの主たる所在地に係るホーム位置が含まれ、ＣＰＵ４１は、現在位置が、位置設定情報４３１に記憶された位置情報における順番付けられた位置の何れでもない場合には、副時計に表示させる地方時の位置としてホーム位置を選択するので、ホーム位置に戻る前の最後（所定の順番以降）の滞在地での副時計の表示選択を容易に行うことが出来る。また、単一目的地の出張や旅行などの場合には、ユーザは、わざわざ旅行先を設定しなくても戻り先であるホーム位置の現在時刻を容易に知得することが出来る。また、旅行先が複数に亘る場合でも、現地時刻とホーム位置での時刻だけが知得出来れば良い場合もあり、このような場合にも、敢えて滞在予定地をローカル位置として順番に設定登録する必要がなく、現在位置の変化に応じて柔軟且つ容易に正確な現地時刻を取得して、ホーム位置の時刻と共に表示させることが出来る。
【００４７】
また、ユーザの入力操作を受け付ける操作部４５を備え、位置設定情報４３１に記憶させる位置情報を操作部４５への入力操作を介して入力設定することが出来るので、特に簡単な設定の際には、手元で容易に主時計に係る現在位置に応じた副時計のローカル位置を定めることが出来る。
【００４８】
また、所定の入力操作、ここでは、押しボタンスイッチＳ４の長押し操作がなされた場合に、現在位置をユーザの主たる所在地に係るホーム位置として設定することが出来るので、単なる基本位置の変更ではなく、引越し時や長期滞在時にホーム位置自体を切り替えたい場合でも、現在位置が取得された後にワンタッチ操作で容易にホーム位置の設定を行うことが出来る。
【００４９】
また、文字盤３上で指針１１〜１４により現在位置に係る地方時を表示する主時計表示と、小窓５、６内でローカル位置に係る地方時を表示する副時計表示とを同時に行うことが出来るので、ユーザは、操作により表示内容を切り替えずに速やかに主時計と副時計を視認し、現在位置とローカル位置の時刻やその時差を知得することが出来る。
【００５０】
また、小窓７内で機能針１８により現在位置を示すことが出来るので、主時計表示に係る現在位置が切り替えられた場合に、ユーザが速やかに正しい現在位置の時刻表示に切り替えられたかを確認することが出来る。
【００５１】
また、ＧＰＳ受信モジュール４６を用いて現在位置を測定するので、電子時計４０単体で世界中何れの位置でも正確に現在位置を取得することが出来る。従って、移動時に簡単な操作又は自動で現在位置を取得して速やかに現在位置に応じた主時計及び副時計の表示に切り替えることが出来る。
【００５２】
また、時差情報には、タイムゾーンに係る情報と夏時間の実施スケジュールに係る夏時間情報とが含まれる。従って、主時計及び副時計の何れに関しても、単なるタイムゾーンの違いによる時差だけでなく、世界各地の夏時間の実施有無を考慮して正確な地方時を算出、表示させることが出来る。
【００５３】
［第２実施形態］
次に、第２実施形態の電子時計４０について説明する。
この第２実施形態の電子時計４０の構成は、図１及び図２で示した第１実施形態の電子時計４０と同一であるので、同一の符号を用いることとして説明を省略する。
【００５４】
図６は、第２実施形態の電子時計４０で実行される表示時刻設定処理のＣＰＵ４１による制御手順を示すフローチャートである。
【００５５】
この第２実施形態の電子時計４０における表示時刻設定処理は、第１実施形態の電子時計４０における表示時刻設定処理と比較して、ステップＳ１０５の処理がステップＳ１０５ａの処理に置き換えられ、また、ステップＳ１１０の処理が追加された点が異なる。これ以外の処理は、同一であり、同一の符号を付して詳しい説明を省略する。
【００５６】
ステップＳ１０４の処理で、設定された基本位置がホーム位置と等しくないと判別された場合に（ステップＳ１０４で“ＮＯ”）、ＣＰＵ４１は、変数ｉを「２」に設定する（ステップＳ１０５ａ）。
また、ステップＳ１０６の判別処理で、変数ｉの値がローカル位置の設定数ｎより小さくない（等しい）と判別された場合（ステップＳ１０６で“ＮＯ”）、ＣＰＵ４１は、更に、基本位置がｎ番目のローカル位置と等しいか否かを 判別する（ステップＳ１１０）。ｎ番目のローカル位置（ＬＴ［ｎ］）と等しいと判別された場合には（ステップＳ１１０で“ＹＥＳ”）、ＣＰＵ４１の処理は、ステップＳ１１３に移行する。ローカル位置［ｎ］と等しくないと判別された場合には（ステップＳ１１０で“ＮＯ”）、ＣＰＵ４１の処理は、ステップＳ１０９に移行する。
【００５７】
即ち、本実施形態の表示時刻設定処理では、電子時計４０のユーザがホーム位置にいる場合や、設定されたローカル位置の何れにもいない場合には、上述の順番付けから外された１番目のローカル位置（ローカル位置［１］）（特定位置）の地方時を副時計に表示させ、２番目以降のローカル位置として設定された旅行先にいる場合にのみ、次に滞在予定の位置の地方時を副時計に表示させる。
【００５８】
以上のように、第２実施形態の電子時計４０では、位置設定情報４３１に記憶されている位置情報において、ローカル位置ＬＴ［１］を上述の順番付けから外し、ＣＰＵ４１は、取得された現在位置が、順番付けられたホーム位置ＨＴ及びローカル位置ＬＴ［２］〜ＬＴ［ｎ］のうち何れでもない場合には、ローカル位置ＬＴ［１］を副時計に表示させる位置として選択する。
従って、設定された移動先に係る旅行中の場合を除き、通常では、設定されたローカル位置の地方時を世界時計表示で固定しておきたい場合には、このように順番付けから外しつつ位置設定情報４３１に含ませて利用することで、より柔軟でユーザの用途にあった世界時計表示が可能になる。
【００５９】
［第３実施形態］
次に、第３実施形態の電子時計４０について説明する。
この第３実施形態の電子時計４０の構成は、位置設定情報４３１の内容を除いて図１及び図２で示した第１実施形態の電子時計４０と同一であるので、同一の構成には同一の符号を用いることとして説明を省略する。
【００６０】
図３（ｂ）には、本実施形態の電子時計４０の位置設定情報４３１の内容を示す図表である。
本実施形態の電子時計４０では、位置設定情報４３１として、設定された各位置（ホーム位置及びローカル位置）にそれぞれ対応する対応位置ＳＴ［０］〜ＳＴ［４］が設定され、また、設定されていない位置に対応する対応位置（所定位置）としてデフォルト位置ＤＴの設定がなされている。
本実施形態の電子時計４０における位置設定情報４３１は、対応位置設定記憶手段を構成する。
【００６１】
図７は、第３実施形態の電子時計４０で実行される表示時刻設定処理のＣＰＵ４１による制御手順を示すフローチャートである。
【００６２】
この第３実施形態の電子時計４０における表示時刻設定処理は、第１実施形態の電子時計４０における表示時刻設定処理と比較して、ステップＳ１０６及びステップＳ１１２〜Ｓ１１４の処理がそれぞれステップＳ１０６ｂ、Ｓ１１２ｂ〜Ｓ１１４ｂの処理に置き換えられ、また、ステップＳ１１１の処理がステップＳ１１１ｂ、Ｓ１１１ｃに分割、変更された点を除き同一であり、同一の処理内容については同一の符号を付して詳しい説明を省略する。
【００６３】
ステップＳ１０６ｂの処理において、ＣＰＵ４１は、変数「ｉ」の値がローカル位置の設定数ｎ以下であるか否かを判別する（ステップＳ１０６ｂ）。設定数ｎ以下であると判別された場合には（ステップＳ１０６ｂで“ＹＥＳ”）、ＣＰＵ４１の処理は、ステップＳ１０７に移行する。
【００６４】
ステップＳ１０９の処理が終了した場合、ＣＰＵ４１は、モータ駆動回路４８に制御信号を送って機能針１８に位置設定としてホーム位置を示す標識“ＨＴ”を指し示させる（ステップＳ１１１ｂ）それから、ＣＰＵ４１の処理は、ステップＳ１１２ｂに移行する。
一方、ステップＳ１０７で“ＹＥＳ”に分岐した場合、ＣＰＵ４１は、モータ駆動回路４８に制御信号を出力し、機能針１８に位置設定として「ｉ」番目の位置設定を示す標識“ＬＴ（ｉ）”を指し示させる（ステップＳ１１１ｃ）。それから、ＣＰＵ４１の処理は、ステップＳ１１２ｂに移行する。
【００６５】
ＣＰＵ４１は、ステップＳ１１２ｂの処理で、副時計に「ｉ」番目のローカル位置（ＬＴ［ｉ］）の地方時を表示させる（ステップＳ１１２ｂ）。そして、ＣＰＵ４１は、表示時刻設定処理を終了する。
【００６６】
設定数ｎ以下ではないと判別された場合には（ステップＳ１０６ｂで“ＮＯ”）、ＣＰＵ４１は、モータ駆動回路４８に制御信号を出力して、機能針１８に位置設定としてデフォルト位置を示す標識“ＤＴ”を指し示させる（ステップＳ１１３ｂ）。ＣＰＵ４１は、このデフォルト位置の地方時（デフォルト時刻）を算出し、また、副分針１５及び副時針１６を回転動作させ、副時計にこのデフォルト位置における地方時の表示を行わせる（ステップＳ１１４ｂ）。それから、ＣＰＵ４１は、表示時刻設定処理を終了する。
【００６７】
このように、ユーザは、現在時刻を表示させる現在位置に各々応じて定められた地点での地方時を副時計に表示させることが出来る。例えば、ユーザがホーム位置（東京）に要る場合には、家族が留学している位置（シドニー）などを対応位置として設定する一方、ホーム位置から離れて出張先などにいる場合には、次の滞在予定位置やホーム位置を対応位置として定めることが出来る。
【００６８】
また、ここで、デフォルト位置は、予め設定された移動先とは異なる地域へ移動した場合に副時計として地方時を表示する位置である。例えば、予め定められた地点への出張時には、ホーム位置にある本社などと連絡をしやすくするために常にホーム位置を対応位置として設定したり、或いは、観光旅行などで敢えてホーム位置の時刻を常に表示させておく必要が無い場合に、家族の留学先を優先的に対応位置として設定したりする用途などで用いられる。
【００６９】
位置の順番付けには、最後の番号のローカル位置の次の順番をホーム位置や先頭の番号のローカル位置とすることを含む。また、位置設定情報４３１におけるデータ配列通りに順番付けがなされている必要は無く、状況に応じて必要なローカル位置のみを選択して順番付けを別途行っても良い。
【００７０】
以上のように、第３実施形態の電子時計４０では、位置設定情報４３１において、予め設定されたホーム位置及びローカル位置、並びにこれらの位置に各々対応付けられた対応位置に係る位置情報が記憶され、取得された現在位置が予め設定された位置の何れかである場合には、当該位置情報で現在位置に対応付けられた対応位置を選択することで、ホーム位置や旅行などで滞在する位置ごとに、必要に応じてホーム位置における地方時の表示有無や、次の滞在先の地方時の表示有無などを選ぶことが出来るので、現在位置の地方時への表示切替時に、よりユーザの必要に応じた世界時間の表示内容を併せて切り替えることが出来る。
【００７１】
また、取得された現在位置が、位置設定情報４３１において予め設定されたホーム位置及びローカル位置の何れでもない場合には、別途予め設定されたデフォルト位置ＤＴを対応位置とすることで、予定外の位置に移動したり、或いは、当該位置に移動時に敢えて世界時計表示に係る対応位置を設定するまでもなくデフォルト位置の地方時が世界時計表示として好ましかったりする場合に、より簡易且つ適切に、現在位置の地方時への表示切替に伴って世界時計表示を切り替えることが出来る。
【００７２】
また、ユーザの入力操作を受け付ける操作部４５を備え、操作部４５への入力操作を介してユーザが位置情報を入力設定することが出来るので、ユーザの必要に応じて容易に設定を変更し、ユーザの移動に伴う主時計の表示変更に応じて副時計の表示を変更させることが出来る。
【００７３】
なお、本発明は、上記実施の形態に限られるものではなく、様々な変更が可能である。
例えば、上記実施の形態では、測位衛星からの電波を受信して現在位置の取得を行うこととしたが、Bluetooth（登録商標）などの近距離通信を用いて間接的に現在位置データを取得しても良い。或いは、ユーザの入力操作に基づいて現在位置を取得しても良い。
【００７４】
また、上記実施の形態では、複数のローカル位置に対して各々異なる対応位置が設定されたが、単純に、ホーム位置に対する対応位置が一のローカル位置であり、全てのローカル位置の対応位置がホーム位置であっても良い。
【００７５】
また、上記実施の形態では、地図テーブル４２１を参照して時差情報を取得することとしたが、直近の夏時間実施情報をユーザによる入力操作や標準電波の受信などにより取得しても良い。
また、ホーム位置のデータを必ずしも周遊ルートの開始地点及び最終地点とする必要はない。
【００７６】
また、位置設定情報４３１として記憶させる設定データは、操作部４５を介して設定されるだけではなく、Bluetoothなどの近距離通信を用いて外部で設定されたデータを受信して用いることとしても良い。
【００７７】
また、上記実施の形態では、現在位置に係る基本時刻と、この現在位置に対応する位置のローカル時刻とを同時に表示可能な電子時計について説明したが、必ずしも同時に表示される必要は無く、世界時計表示状態が選択された場合に表示される世界時計のローカル位置及びローカル時刻を設定するのに用いることも可能である。
【００７８】
また、上記実施の形態では、押しボタンスイッチＳ１の押下操作に応じて表示時刻設定処理が開始されたが、その他、例えば、飛行機内で測位衛星からの電波受信を禁止する機内モードが解除された場合や、加速度センサを有する電子時計において、飛行機の離陸後に着陸に応じた加速度が検知された場合などに自動的に開始されることとしても良い。
【００７９】
また、現在位置だけではなく、適宜世界時計の設定に係るローカル位置の表示も同様に行わせることが出来る。現在位置の地方時と世界時計に係る設定されたローカル位置の地方時のどちらの位置を示しているかが分かるように、表示モードの切り替えや指針動作が行われる。また、この表示は、機能針１８で示される必要は無く、秒針１１で通常の世界時計に係る設定と同様に行われても良い。但し、フレーム２に設けられた同一のタイムゾーンで異なる夏時間の実施地域などの場合には、適宜他の指針の動作と組み合わせて表示が行われることが好ましい。
【００８０】
また、上記実施の形態では、地方時の算出時に自動的に夏時間を適用することとしたが、夏時間のルール適用を自動で行わない設定が可能な場合などでは、タイムゾーンのみを反映して夏時間ルールの適用を行わない地方時を算出、表示させることとしても良い。
【００８１】
また、上記実施の形態では、アナログ電子時計を例に挙げて説明したが、液晶ディスプレイなどのデジタル表示画面を備えたデジタル電子時計や、デジタル表示画面と指針による表示とを組み合わせた電子時計であっても良い。また、同時に２つの時刻を表示可能なアナログ電子時計の場合、全画面表示と小窓での時刻表示の組み合わせに限られず、並列に配列された二つの窓内でそれぞれ表示される時刻であっても良い。
その他、上記実施の形態で示した構成、設定、制御内容や手順などの具体的な細部は、本発明の趣旨を逸脱しない範囲において適宜変更可能である。
【００８２】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８３】
［付記］
＜請求項１＞
日時を計数する計時手段と、
現在位置を取得する現在位置取得手段と、
前記現在位置取得手段により現在位置が取得された場合に、当該現在位置に応じて予め定められた対応位置を選択する対応位置選択手段と、
前記計時手段の計数する日時と、所定の基準位置からの時差に係る前記現在位置の時差情報及び前記対応位置の時差情報とに基づいて、前記現在位置及び前記対応位置における地方時をそれぞれ算出する地方時算出手段と、
算出された地方時を同時に又は選択的に切り替えて表示する表示手段と、
を備えることを特徴とする電子時計。
＜請求項２＞
世界各地の時差情報を記憶する時差記憶手段を備え、
前記地方時算出手段は、当該時差記憶手段を参照して前記現在位置及び前記対応位置の時差情報をそれぞれ取得する
ことを特徴とする請求項１記載の電子時計。
＜請求項３＞
予め設定された位置に順番付けを行った位置情報を記憶する位置情報記憶手段を備え、
前記対応位置選択手段は、前記現在位置が当該位置情報記憶手段に記憶された位置情報における前記順番付けられた位置の何れかである場合には、前記現在位置の次の順番が付された位置を前記対応位置として選択する
ことを特徴とする請求項１又は２記載の電子時計。
＜請求項４＞
前記対応位置選択手段は、前記現在位置が前記位置情報記憶手段に記憶された位置情報における前記順番付けられた位置の何れでもない場合には、前記位置情報記憶手段において所定の順番が付された位置を前記対応位置として選択することを特徴とする請求項３記載の電子時計。
＜請求項５＞
前記位置情報記憶手段に記憶されている位置情報には、前記順番付けられていない特定位置が含まれ、
前記対応位置選択手段は、前記現在位置が前記位置情報記憶手段に記憶された位置情報における前記順番付けられた位置の何れでもない場合には、前記特定位置を前記対応位置として選択することを特徴とする請求項３記載の電子時計。
＜請求項６＞
前記順番付けられた位置には、ユーザの主たる所在地に係るホーム位置が含まれ、
前記対応位置選択手段は、前記現在位置が前記位置情報記憶手段に記憶された位置情報における前記順番付けられた位置の何れでもない場合には、前記ホーム位置を前記対応位置として選択することを特徴とする請求項３記載の電子時計。
＜請求項７＞
予め設定された位置及び当該位置に各々対応付けられた前記対応位置に係る位置情報を記憶する対応位置設定記憶手段を備え、
前記対応位置選択手段は、前記現在位置が前記対応位置設定記憶手段に記憶された位置情報における前記予め設定された位置の何れかである場合には、当該位置情報で前記現在位置に対応付けられた前記対応位置を選択する
ことを特徴とする請求項１又は２記載の電子時計。
＜請求項８＞
前記対応位置選択手段は、前記現在位置が前記対応位置設定記憶手段に記憶された位置情報における前記予め設定された位置の何れでもない場合には、予め設定された所定位置を前記対応位置とすることを特徴とする請求項７記載の電子時計。
＜請求項９＞
ユーザの入力操作を受け付ける操作手段を備え、
前記位置情報記憶手段に記憶させる前記位置情報は、当該操作手段を介して入力設定される
ことを特徴とする請求項３〜６の何れか一項に記載の電子時計。
＜請求項１０＞
ユーザの入力操作を受け付ける操作手段を備え、
前記対応位置設定記憶手段に記憶させる前記位置情報は、当該操作手段を介して入力設定される
ことを特徴とする請求項７又は８記載の電子時計。
＜請求項１１＞
所定の入力操作がなされた場合に、前記現在位置をユーザの主たる所在地に係るホーム位置として設定するホーム位置設定手段を備えることを特徴とする請求項９又は１０記載の電子時計。
＜請求項１２＞
前記表示手段は、
前記現在位置に係る地方時を表示する第１表示部と、
前記対応位置に係る地方時を表示する第２表示部と
を備えることを特徴とする請求項１〜１１の何れか一項に記載の電子時計。
＜請求項１３＞
前記表示手段は、前記現在位置を示す第３表示部を備えることを特徴とする請求項１〜１２の何れか一項に記載の電子時計。
＜請求項１４＞
前記現在位置取得手段は、現在位置を測定する測位手段を備え、
前記対応位置選択手段は、所定の条件で前記測位手段に測位を行わせて現在位置を取得する
ことを特徴とする請求項１〜１３の何れか一項に記載の電子時計。
＜請求項１５＞
前記時差情報には、タイムゾーンに係る情報と夏時間の実施スケジュールに係る夏時間情報とが含まれることを特徴とする請求項１〜１４の何れか一項に記載の電子時計。
【符号の説明】
【００８４】
２     フレーム
３     文字盤
３ａ   開口部
４     小窓
５     小窓
６     小窓
７     小窓
１１   秒針
１２   分針
１３   時針
１４   ２４時間針
１５   副分針
１６   副時針
１７   副２４時間針
１８   機能針
１９   日車
４０   電子時計
４１   ＣＰＵ
４２   ＲＯＭ
４２１ 地図テーブル
４３   ＲＡＭ
４３１ 位置設定情報
４４   計時回路
４５   操作部
４６   ＧＰＳ受信モジュール
４７   ＵＡＲＴ
４８   モータ駆動回路
４９   バス
５１   ステッピングモータ
５２   ステッピングモータ
５３   ステッピングモータ
５４   ステッピングモータ
５５   ステッピングモータ
５６   ステッピングモータ
６１   輪列機構
６２   輪列機構
６３   輪列機構
６４   輪列機構
６５   輪列機構
６６   輪列機構
Ｃ１   りゅうず
Ｓ１、Ｓ３、Ｓ４     押しボタンスイッチ
【図１】
0006575049.tif 000002
【図２】
0006575049.tif 000003
【図３】
0006575049.tif 000004
【図４】
0006575049.tif 000005
【図５】
0006575049.tif 000006
【図６】
0006575049.tif 000007
【図７】
0006575049.tif 000008